(57)【要約】      （修正有）【課題】被検者の足圧分布を含む圧力分布を計測する計測装置において、持ち運ぶ上で有利な構成を提供する。【解決手段】計測装置１０ａは、複数の圧力センサが二次元的に配列された第１構造体１２ａと第２構造体１２ｂと、を含み、第１構造体および第２構造体は、折り畳むことができるように接続されている。第１構造体は、圧力センサに電力を供給する電源を含む電源領域１３と、電源領域および第２構造体の間に配置されたセンサ領域１４とを有し、センサ領域の厚さは、電源領域の厚さより薄く、更にセンサ領域は、第１構造体と第２構造体とが並ぶ方向と直交する方向において、センサ領域の厚さが外側に向かって薄くなっている。第２構造体も、直交する方向において、第２構造体の厚さが外側に向かって薄くなっている。【選択図】図４
2015178966.tif 000002
【特許請求の範囲】
【請求項１】
被検者によって加えられる荷重分布を計測する計測装置であって、
複数の圧力センサが二次元的に配列された第１面を有する第１構造体と、
複数の圧力センサが二次元的に配列され、且つ前記荷重分布の計測のために前記第１面と同一の平面上に配置されることができる第２面を有する第２構造体と、
を含み、
前記第１構造体および前記第２構造体は、前記第１面と前記第２面とを近づけて前記計測装置を折り畳むことができるように接続され、
前記第１構造体は、前記第１構造体の圧力センサおよび前記第２構造体の圧力センサに電力を供給する電源を含む電源領域と、前記第１面を含み且つ前記電源領域および前記第２構造体の間に配置されたセンサ領域とを有し、
前記センサ領域の厚さは、前記電源領域の厚さより薄く、
前記センサ領域は、前記第１構造体と前記第２構造体とが並ぶ方向と直交する方向において、前記センサ領域の厚さが外側に向かって薄くなるように前記第１面が湾曲した周辺部分を含み、
前記第２構造体は、前記直交する方向において、前記第２構造体の厚さが外側に向かって薄くなるように前記第２面が湾曲した周辺部分を含む、ことを特徴とする計測装置。
【請求項２】
前記第１面および前記第２面はそれぞれ、前記被検者によって荷重が加えられるべき目標箇所に当該荷重が加えられるように前記被検者を案内するための凹部を有する、ことを特徴とする請求項１に記載の計測装置。
【請求項３】
前記第１面における複数の圧力センサが配列した第１部分は、前記第１部分の周辺であって前記第１面の湾曲した周辺部分より粗面であり、
前記第２面における複数の圧力センサが配列した第２部分は、前記第２部分の周辺であって前記第２面の湾曲した周辺部分より粗面である、ことを特徴とする請求項１又は２に記載の計測装置。
【請求項４】
前記第１面における複数の圧力センサ、および前記第２面における複数の圧力センサは、１枚のシート状に構成されている、ことを特徴とする請求項１乃至３のうちいずれか１項に記載の計測装置。
【請求項５】
前記電源領域は、前記第１構造体の圧力センサおよび前記第２構造体の圧力センサから信号を取得する取得部とを更に含む、ことを特徴とする請求項１乃至４のうちいずれか１項に記載の計測装置。
【請求項６】
前記電源領域は、前記計測装置が折り畳まれた状態において前記第１構造体と前記第２構造体とを固定する固定部を更に含む、ことを特徴とする請求項１乃至５のうちいずれか１項に記載の計測装置。
【請求項７】
前記第２構造体は、前記計測装置が折り畳まれた状態のときに前記センサ領域に重なり合い、
前記電源領域は、前記計測装置が折り畳まれた状態における前記センサ領域および前記第２構造体の全体の厚さと同じ厚さになるように構成されている、ことを特徴とする請求項１乃至６のうちいずれか１項に記載の計測装置。
【発明の詳細な説明】
【技術分野】
【０００１】
本発明は、被検者によって加えられた荷重分布を計測する計測装置に関する。
【背景技術】
【０００２】
脳卒中などの脳神経系疾患を発症して右片または左片が麻痺した患者や、関節症などの運動器に関連する疾患を有する患者が自立的な生活を営むためには、下肢機能の回復が必要である。そのため、理学療法士の指導／監視のもとで下肢機能を回復させる訓練が行われている。このような訓練においては、理学療法士が患者の下肢機能の状態を的確に判断することが求められており、それには患者の足圧分布などの計測を行い、下肢機能の状態を定量的に評価することが好ましい。
【０００３】
特許文献１には、複数の圧力センサが二次元状に配列された計測装置を用いて患者（被検者）の足圧分布を計測するシステムが提案されている。このような計測装置を用い、患者の足圧分布を左右の足で同時に計測することにより、患者の下肢機能の状態を的確に判断することができる。
【先行技術文献】
【特許文献】
【０００４】
【特許文献１】特許第２７６０４７４号公報
【発明の概要】
【発明が解決しようとする課題】
【０００５】
患者の足圧分布を左右の足で同時に計測するためには、計測装置において、複数の圧力センサが配列されている部分が、患者の左右の足を同時に乗せることができる程度の大きさを有していることが必要である。しかしながら、このように複数の圧力センサが配列されている部分を大きくすると、計測装置自体も大きくなり、患者の近傍まで計測装置を持ち運ぶ際に不便となりうる。
【０００６】
そこで、本発明は、被検者の足圧分布を含む圧力分布を計測する計測装置において、持ち運ぶ上で有利な構成を提供することを目的とする。
【課題を解決するための手段】
【０００７】
上記目的を達成するために、本発明に係る計測装置は、被検者によって加えられる荷重分布を計測する計測装置であって、複数の圧力センサが二次元的に配列された第１面を有する第１構造体と、複数の圧力センサが二次元的に配列され、且つ前記荷重分布の計測のために前記第１面と同一の平面上に配置されることができる第２面を有する第２構造体と、を含み、前記第１構造体および前記第２構造体は、前記第１面と前記第２面とを近づけて前記計測装置を折り畳むことができるように接続され、前記第１構造体は、前記第１構造体の圧力センサおよび前記第２構造体の圧力センサに電力を供給する電源を含む電源領域と、前記第１面を含み且つ前記電源領域および前記第２構造体の間に配置されたセンサ領域とを有し、前記センサ領域の厚さは、前記電源領域の厚さより薄く、前記センサ領域は、前記第１構造体と前記第２構造体とが並ぶ方向と直交する方向において、前記センサ領域の厚さが外側に向かって薄くなるように前記第１面が湾曲した周辺部分を含み、前記第２構造体は、前記直交する方向において、前記第２構造体の厚さが外側に向かって薄くなるように前記第２面が湾曲した周辺部分を含む、ことを特徴とする。
【発明の効果】
【０００８】
本発明によれば、被検者の足圧分布を含む圧力分布を計測する計測装置において、持ち運ぶ上で有利な構成を提供することができる。
【図面の簡単な説明】
【０００９】
【図１】足圧分布を計測する計測システムの構成を示す概略図である。
【図２】情報処理装置の機能構成を示す図である。
【図３】足圧分布データの一例を示す図である。
【図４】第１実施形態における計測装置の構成の一例を示す図である。
【図５】第１実施形態における計測装置の断面図である。
【図６】計測装置を折り畳むときの様子を示す図である。
【図７】折り畳まれた計測装置を示す図である。
【図８】固定部の構成を説明するための図である。
【図９】フック部材を用いた計測装置の構成例を示す図である。
【図１０】フック部材を用いた計測装置の構成例を示す図である。
【図１１】フック部材を用いた計測装置の構成例を示す図である。
【図１２】第２実施形態における計測装置の構成の一例を示す図である。
【図１３】計測装置を折り畳むときの様子を示す図である。
【発明を実施するための形態】
【００１０】
以下、添付図面を参照して、本発明の好適な実施の形態について説明する。なお、各図において、同一の部材ないし要素については同一の参照番号を付し、重複する説明は省略する。また、以下の実施形態では、被検者が計測装置に立位姿勢で乗った状態での荷重分布（足圧分布）を計測装置が計測する場合について説明するが、それに限られるものではない。計測装置は、例えば、被検者が座位姿勢で計測装置に乗った状態での荷重分布（座圧分布）を計測してもよいし、被検者が臥位姿勢で計測装置に乗った状態での荷重分布（臥圧分布）を計測してもよい。
【００１１】
［計測システム１００の構成について］
被検者の足圧分布を計測する計測システム１００について、図１を参照しながら説明する。図１は、足圧分布を計測する計測システム１００の構成を示す概略図である。計測システム１００は、図１に示すように、被検者の足圧分布を計測する計測装置１０と情報処理装置４０とを含みうる。
【００１２】
計測装置１０は、複数の圧力センサが二次元に配列されたセンサ部１１と、センサ部１１が設けられた面を有する構造体１２（ベース部）とを有する。センサ部１１は、例えば、被検者の両足を同時に乗せることができるような大きさ（例えば３５０ｍｍ×３５０ｍｍ）を有しており、その大きさになるようにマトリクス状に配列された複数の圧力センサ（例えば導電性ゴムのセンサ）を含む。センサ部１１は、足圧分布の計測時に被検者が滑りにくくするため、例えばウレタンやシリコンなどのシート材で覆われるとよい。センサ部１１は、例えば被検者が立位姿勢で計測装置１０に乗ったときに各圧力センサが圧力（荷重）を検知し、検知した荷重に対応した電気信号を各圧力センサが所定の周期で出力する。これにより、計測装置１０は、被検者の足圧分布データを所定の周期で取得することができる。計測装置１０の具体的な構成については後述する。また、構造体１２は、アルコール綿による消毒に適応できるように耐アルコール性であることが好ましいため、例えば、ポリプロピレン（ＰＰ）やポリエチレン（ＰＥ）などによって構成されうる。
【００１３】
情報処理装置４０は、図２に示すように、例えば、制御部４１（ＣＰＵ）と、メモリ部４２と、記憶部４３と、表示部４４と、入力部４５と、外部機器Ｉ／Ｆ部４６とを含み、各部はバス４７を介して接続されている。図２は、情報処理装置４０の機能構成を示す図である。情報処理装置４０は、計測装置１０によって計測された足圧分布データを例えばケーブル３０を介して取得し、表示部４４に表示する。ここで、本実施形態では、情報処理装置４０が、計測装置１０によって計測された足圧分布データをケーブル３０を介して（有線で）取得する構成について説明するが、それに限られるものではなく、ブルートゥースなどの無線によって足圧分布データを取得してもよい。
【００１４】
記憶部４３には、被検者の足圧分布を計測装置１０に計測させ、計測装置１０で計測された足圧分布データをケーブル３０を介して取得して表示部４４に表示させるためのプログラムが格納されている。当該プログラムは、制御部４１による制御のもと、ワークエリアとして機能するメモリ部４２に適宜読み込まれ、制御部４１によって実行される。表示部４４は、ブラウン管や液晶などのディスプレイによって構成されており、制御部４１にプログラムを実行させるためのインターフェースを表示したり、取得した足圧分布データを表示したりする。入力部４５は、キーボードやマウスなどを含み、プログラムを実行させるための指示を入力する。外部機器Ｉ／Ｆ部４６は、計測装置１０によって計測された足圧分布データを情報処理装置４０に取り込むためのＩ／Ｆである。
【００１５】
制御部４１は、記憶部４３に格納されたプログラムを実行することにより、計測装置１０によって取得された足圧分布データを表示部４４に表示するための処理が行われる。例えば、被検者が計測装置１０のセンサ部１１に立位姿勢で乗った場合、センサ部１１を構成する複数の圧力センサの各々が荷重を検知し、その荷重に応じた強度の電気信号を出力する。このとき、複数の圧力センサによって出力された複数の電気信号が足圧分布データとして情報処理装置４０に供給される。情報処理装置４０の制御部４１は、供給された各電気信号を表示部４４の各画素に割り当て、各画素において各電気信号の強度に対応した色、即ち、各センサの出力値に対応した色を表示部４４に表示させる。図３は、表示部４４に表示された被検者の足圧分布データの一例を示す図である。このような処理は、足圧分布データの時間的な変化に対応して連続的に実行されうる。
【００１６】
このように構成された計測システム１００では、上述したように、計測装置１０のセンサ部１１が、被検者の両足を同時に乗せることができる程度の大きさを有していることが必要である。しかしながら、このようにセンサ部１１を大きくすると、計測装置１０自体も大きくなり、被検者（患者）の近傍まで計測装置１０を持ち運ぶ際に不便となりうる。そこで、本実施形態の計測装置１０は、折り畳むことができるように構成されている。以下に、本実施形態の計測装置１０の構成について説明する。
【００１７】
［計測装置１０の構成について］
＜第１実施形態＞
第１実施形態の計測装置１０ａについて、図４を参照しながら説明する。図４は、第１実施形態における計測装置１０ａの構成の一例を示す図である。図４（ａ）は計測装置１０ａをＺ方向から見た図であり、図４（ｂ）は計測装置１０ａのＡ−Ａ’における断面図であり、図４（ｃ）は計測装置１０ａのＢ−Ｂ’における断面図である。計測装置１０ａは、例えば、荷重を検知するための複数の圧力センサが二次元的に配列された第１面１２ａ１を有する第１構造体１２ａと、複数の圧力センサが二次元的に配列された第２面１２ｂ１を有する第２構造体１２ｂとを含みうる。
【００１８】
第１構造体１２ａは、例えば、第１構造体１２ａの圧力センサおよび第２構造体１２ｂの圧力センサに電力を供給する電源を含む電源領域１３と、荷重を検知するための複数の圧力センサが二次元的に配列されたセンサ部１１ａ（第１部分）が設けられた面（第１面１２ａ１）を含むセンサ領域１４とを有する。センサ領域１４は、電源領域１３と第２構造体１２ｂとの間に配置され、センサ領域１４のセンサ部１１ａには、例えば、被検者の一方の足が乗せられる。そして、センサ部１１ａの各圧力センサは、被検者の足が乗せられたことによって加えられる荷重を検知し、その荷重に応じた電気信号を出力する。また、第２構造体１２ｂは、荷重を検知するための複数の圧力センサが二次元的に配列されたセンサ部１１ｂ（第２部分）が設けられた面（第２面１２ｂ１）を有する。第２構造体１２ｂのセンサ部１１ｂには、例えば、被検者の他方の足が乗せられる。そして、センサ部１１ｂの各圧力センサは、被検者の足が乗せられたことによって加えられる荷重を検知し、その荷重に応じた電気信号を出力する。ここで、第１構造体１２ａのセンサ部１１ａおよび第２構造体１２ｂのセンサ部１１ｂに用いられる圧力センサとしては、例えば、導電性ゴムのセンサが用いられうる。また、第１構造体１２ａのセンサ部１１ａおよび第２構造体１２ｂのセンサ部１１ｂは、別々のシート状に構成されてもよいが、図４（ａ）に示すように１枚のシート状に一体に構成されてもよい。
【００１９】
第１構造体１２ａ（センサ領域１４）および第２構造体１２ｂは、図４に示すように、荷重分布の計測のために、第１面１２ａ１および第２面１２ｂ１が同一の平面上に配置することができるように接続されている。そして、第１構造体１２ａにおける第１面１２ａ１の反対側の面（以下、第１構造体１２ａの裏面）、および第２構造体１２ｂにおける第２面１２ｂ１の反対側の面（以下、第２構造体１２ｂの裏面）にはそれぞれ、計測装置１０ａが置かれる床の材質による圧力分散の影響を低減するために、金属板やプラスチック板など剛性の高い板が設けられている。また、第１構造体１２ａは、第１構造体１２ａと第２構造体１２ｂとが並ぶ方向と直交する方向（Ｙ方向）において、第１構造体１２ａの裏面と第１面１２ａ１との間の厚さが外側に向かって薄くなるように第１面１２ａ１が湾曲した周辺部分１５を含む。同様に、第２構造体１２ｂは、Ｙ方向において、第２構造体１２ｂの裏面と第２面１２ｂ１との間の厚さが外側に向かって薄くなるように第２面１２ｂ１が湾曲した周辺部分を含む。このように第１構造体１２ａと第２構造体１２ｂとに面が湾曲した周辺部分をそれぞれ設けることにより、被検者がＹ方向に沿って計測装置１０ａに足を摺りながら乗る場合であっても、被検者が計測装置１０につまづくことを防止することができる。
【００２０】
ここで、被検者によって荷重が加えられるべき目標箇所に当該荷重が加えられるように、被検者を案内するための凹部１６を第１構造体１２ａの第１面１２ａ１および第２構造体１２ｂの第２面１２ｂ１の各々に設けておくとよい。図５は、第１面１２ａ１および第２面１２ｂ１のそれぞれに凹部１６を設けた計測装置１０ａのＡ−Ａ’における断面図である。このように第１面１２ａ１および第２面１２ｂ１に凹部１６を設けることにより、当該凹部１６に沿って被検者の足を案内（誘導）することができ、当該目標箇所に被検者の足を乗せることができる。また、第１面１２ａ１および第２面１２ｂ１における複数のセンサが配列された部分（センサ部１１ａおよび１１ｂの表面）を、第１面１２ａ１または第２面１２ｂ１の湾曲した周辺部分より粗面にしておくことが好ましい。このようにセンサ部１１ａおよび１１ｂの表面を粗面にすることにより、センサ部１１ａおよび１１ｂに被検者が立位状態で乗ったときに被検者が滑ることを防止できるとともに、センサ部１１ａおよび１１ｂの上に乗ったことを被検者が認識することができる。
【００２１】
第１構造体１２ａにおける電源領域１３は、第１構造体１２ａおよび第２構造体１２ｂの各圧力センサに電力を供給する機能に加えて、各圧力センサから出力された信号を取得し、当該信号を情報処理装置４０に送信する機能を有する。即ち、電源領域１３は、各圧力センサに電力を供給する電源に加えて、第１構造体の各圧力センサおよび第２構造体の各圧力センサからの信号を取得する取得部や、取得部によって取得された信号を情報処理装置４０に有線または無線を介して送信する送信部を含みうる。取得部によって取得された信号を情報処理装置４０に有線で送信する場合には、ケーブル３０を接続する端子が電源領域１３に設けられる。そして、送信部と情報処理装置４０がケーブルを介して接続され、当該ケーブルを介して信号が送信される。一方で、信号を情報処理装置４０にブルートゥースなどの無線で送信する場合には、例えばアンテナが電源領域１３に設けられ、送信部からアンテナを介して信号が情報処理装置４０に送信される。ここで、第１構造体１２ａにおける電源領域１３には、図４に示すように、計測装置１０ａのオン状態とオフ状態とを切り換えるためのボタン１７、および計測装置を持ち運ぶための持ち手１８が設けられうる。
【００２２】
図６は、計測装置１０ａを折り畳むときの様子を示す図である。また、図７は、折り畳まれた計測装置１０ａを示す図である。図７（ａ）は折り畳まれた計測装置１０ａをＺ方向から見たときの図であり、図７（ｂ）は折り畳まれた計測装置１０ａをＹ方向から見たときの図であり、図７（ｃ）は折り畳まれた計測装置１０ａをＸ方向から見たときの図である。第１実施形態では、第１構造体１２ａおよび第２構造体１２ｂは、第１構造体１２ａの第１面１２ａ１と第２構造体１２ｂの第２面１２ｂ１とが近づいて計測装置１０ａが折り畳まれるように接続され、計測装置１０ａが折り畳まれた状態のときに第１構造体１２ａのセンサ領域１４と第２構造体１２ｂとが重なり合うように構成されている。また、第１構造体１２ａの電源領域１３は、計測装置１０ａが折り畳まれた状態における第１構造体１２ａのセンサ領域１４および第２構造体１２ｂの全体の厚さと同じ厚さになるように構成されることが好ましい。
【００２３】
ここで、第１実施形態の計測装置１０ａは、計測装置１０ａが折り畳まれた状態において第１構造体１２ａと第２構造体１２ｂとを固定する固定部１９を第１構造体１２ａの電源領域１３に有してもよい。図８は、固定部１９の構成を説明するための図であり、図７（ａ）に示す計測装置１０ａのＣ−Ｃ’における断面図である。例えば、固定部１９は、図８に示すように、センサ領域１４側の側面から突出した棒部材１９ａを含み、計測装置１０ａが折り畳まれたときに第２構造体１２ｂの側面に形成された溝１２ｂ２に棒部材１９ａが挿入されることによって第１構造体１２ａと第２構造体１２ｂとを固定する。そして、計測装置１０ａで計測を行う際には、固定部１９は、電源領域１３に設けられたボタン１９ｂがユーザによって押されたことに応じて、モータなどの電気的な駆動によって棒部材１９ａを電源領域１３に引き込ませ、棒部材１９ａを第２構造体１２ｂの溝１２ｂ２から外す。これにより、第１構造体１２ａの第１面１２ａ１と第２構造体１２ｂの第２面１２ｂ１とが離れるように計測装置１０ａを開くことができ、計測装置１０ａを、被検者の足圧分布を計測できる状態にすることができる。
【００２４】
また、第１構造体１２ａと第２構造体１２ｂとの固定は、例えば、図９に示すようにフック部材２０によって行うこともできる。図９は、フック部材２０によって第１構造体１２ａと第２構造体１２ｂとを固定した計測装置１０ａの構成例を示す図である。図９（ａ）は計測装置１０ａの斜視図であり、図９（ｂ）は計測装置１０ａのＦ−Ｆ’における断面図である。フック部材２０は、断面が台形形状の筒状に構成された本体部２０ａと、本体部２０ａの端部に取り付けらたＬ字のフック２０ｂを含みうる。本体部２０ａは、筒状内部に設けられた紐やゴムなどによって接続された３つの部品から構成されており、その接続部分において所望の方向に曲げることができる。このように構成されたフック部材２０を計測装置１０ａに巻くとともに、第１構造体１２ａの電源領域１３の側面（センサ領域１４と反対側の側面）に設けられた穴１３ａにフック２０ｂを引っかけることにより、計測装置１０ａが折り畳まれた状態で第１構造体１２ａと第２構造体１２ｂとを固定することができる。フック部材２０は、例えば、金属やＡＢＳ樹脂、ポリカーボネート（ＰＣ）などの材料によって構成されうる。
【００２５】
被検者の足圧分布を計測できるように計測装置１０ａが開いている状態では、図１０に示すように、第１構造体１２ａと第２構造体１２ｂとの接続部分に設けられた凹部１０ａ１にフック部材２０を嵌めこむことができる。このとき、フック部材２０のフック２０ｂは、第１構造体１２ａおよび第２構造体１２ｂに引っかけられる。図１０（ａ）は、計測装置１０ａからフック部材２０を取り外した状態を示し、図１０（ｂ）は、計測装置１０ａの凹部１０ａ１にフック部材２０を嵌めこんだ状態を示している。このようにフック部材２０を計測装置１０ａの凹部１０ａ１に嵌めこむことにより、被検者の足圧分布を計測している間などにおいて計測装置１０ａが閉じてしまうことを防止することができる。
【００２６】
ここで、図１０では、フック部材２０の本体部２０ａの断面が台形形状であり、その台形形状の長辺が床側（−Ｚ方向側）に配置されるように計測装置１０ａに凹部１０ａ１が設けられている。一方で、図１１に示すように台形形状の短辺が床側に配置されるように計測装置１０ａに凹部１０ａ１が設けられてもよい。図１１は、フック部材２０を用いた計測装置１０ａの他の構成例を示す図である。この場合、フック部材２０にはフック２０ｂを設けず、フック部材２０を計測装置１０ａの凹部１０ａ１にスライドさせながら嵌めこむ。これにより、被検者の足圧分布を計測している間などにおいて計測装置１０ａが閉じてしまうことを防止することができる。
【００２７】
＜第２実施形態＞
第２実施形態の計測装置１０ｂについて、図１２を参照しながら説明する。図１２は、第２実施形態における計測装置１０ｂの構成の一例を示す図である。図１２（ａ）は計測装置１０ｂをＺ方向から見た図であり、図１２（ｂ）は計測装置１０ｂのＤ−Ｄ’における断面図であり、図１２（ｃ）は計測装置のＥ−Ｅ’における断面図である。第２実施形態の計測装置１０ｂは、第１実施形態の計測装置１０ａと同様に、例えば、荷重を検知するための複数の圧力センサが二次元的に配列された第１面１２ｃ１を有する第１構造体１２ｃと、複数の圧力センサが二次元的に配列された第２面１２ｄ１を有する第２構造体１２ｄとを含みうる。ここで、第２実施形態の計測装置１０ｂは、第１実施形態の計測装置１０ａと比較して、外観が異なるが各部の構成（材料および機能）は同じであるため、以下では各部の構成についての説明を省略する。
【００２８】
第１構造体１２ｃは、例えば、第１構造体１２ｃの圧力センサおよび第２構造体１２ｄの圧力センサに電力を供給する電源を含む電源領域２１と、荷重を検知するための複数の圧力センサが二次元的に配列されたセンサ部１１ｃが設けられた面（第１面１２ｃ１）を含むセンサ領域２２とを有する。センサ領域２２は、電源領域２１と第２構造体１２ｄとの間に配置され、センサ領域２２の厚さが電源領域２１の厚さより薄くなるように構成されている。電源領域２１は、各圧力センサに電力を供給する電源に加えて、第１構造体１２ｃの各圧力センサおよび第２構造体１２ｄの各圧力センサからの信号を取得する取得部や、取得部によって取得された信号を情報処理装置４０に送信する送信部を含みうる。また、第１構造体１２ｃは、第１構造体１２ｃと第２構造体１２ｄとが並ぶ方向と直交する方向（Ｙ方向）において、第１構造体１２ｃの裏面と第１面１２ｃ１との間の厚さが外側に向かって薄くなるように第１面１２ｃ１が湾曲した周辺部分２５を含む。
【００２９】
第２構造体１２ｄは、例えば、荷重を検知するための複数の圧力センサが二次元的に配列されたセンサ部１１ｄが設けられた面（第２面１２ｄ１）を含むセンサ領域２３と、センサ領域２３に対して第１構造体１２ｃの反対側に配置され、センサ領域２３より厚さが厚い外側領域２４とを有する。そして、第１構造体１２ｃおよび第２構造体１２ｄは、図１２に示すように、荷重分布の計測ために、第１面１２ｃ１および第２面１２ｄ１が同一の平面上に配置することができるように接続されている。このように第２構造体１２ｄに外側領域２４を設け、センサ領域２２および２３より厚い電源領域２１と外側領域２４とによってセンサ領域２２および２３を挟む構成とすることにより、被検者がセンサ部１１ｃおよび１１ｄを視覚的に認識することを容易にすることができる。また、第２構造体１２ｄは、第１構造体１２ｃと同様に、Ｙ方向において、第２構造体１２ｄの裏面と第２面１２ｄ１との間の厚さが外側に向かって薄くなるように第１面１２ｃ１が湾曲した周辺部分を含む。ここで、第２実施形態の計測装置１０ｂでは、取得部や送信部が第１構造体１２ｃの電源領域２１に含まれるように構成されているが、それに限られるものではなく、第２構造体１２ｄの外側領域２４に含まれてもよい。また、第１構造体１２ｃのセンサ部１１ｃおよび第２構造体１２ｄのセンサ部１１ｄは、別々のシート状に形成されてもよいが、図１２（ａ）に示すように１枚のシート状に一体に構成されてもよい。
【００３０】
図１３は、計測装置１０ｂを折り畳むときの様子を示す図である。第２実施形態では、第１構造体１２ｃおよび第２構造体１２ｄは、第１構造体１２ｃの第１面１２ｃ１と第２構造体１２ｄの第２面１２ｄ１とが近づいて計測装置１０ｂが折り畳まれるように接続される。ここで、第２実施形態の計測装置１０ｂは、計測装置１０ｂが折り畳まれた状態において第１構造体１２ｃと第２構造体１２ｄとを固定する固定部を有していてもよい。固定部は、例えば、外側領域２４が接触する電源領域２１の箇所に設けられた磁石を含みうる。
【００３１】
以上、本発明の好ましい実施形態について説明したが、本発明はこれらの実施形態に限定されないことはいうまでもなく、その要旨の範囲内で種々の変形および変更が可能である。
【符号の説明】
【００３２】
１００：計測システム、１０：計測装置、１１：センサ部、１２：構造体、３０：ケーブル、４０：情報処理装置
【図１】
2015178966.tif 000003
【図２】
2015178966.tif 000004
【図４】
2015178966.tif 000005
【図５】
2015178966.tif 000006
【図６】
2015178966.tif 000007
【図７】
2015178966.tif 000008
【図８】
2015178966.tif 000009
【図９】
2015178966.tif 000010
【図１０】
2015178966.tif 000011
【図１１】
2015178966.tif 000012
【図１２】
2015178966.tif 000013
【図１３】
2015178966.tif 000014
【図３】
2015178966.tif 000015